(57)【要約】【課題】コネクタに接続されるワイヤハーネスの端末について、部品番号等の管理・高温作業を必要とせずに、安全、確実に短い距離を止水でき、配索の自由度を向上させることができるワイヤハーネスを提供すること。【解決手段】端末において、コア線１４とドレン線１５とがシース１６から露出するとともに、シース１６が外皮から露出するワイヤハーネス本体１１と、外皮の端末から所要距離離れた位置で外皮の外周を締め付けてシース１６内の隙間を閉塞する第１の粘着テープ巻付部１２と、シース１６内の端末から第１の粘着テープ巻付部１２までのシース１６内の隙間に充填されコア線１４とドレン線１５とをシース１６に対して止水するシリコン２１と、シース１６の露出部分を隠蔽する第２の粘着テープ巻付部１３と、を備えた。【選択図】図４
2016181391.tif 000002
【特許請求の範囲】
【請求項１】
端末において、コア線とドレン線とがシースから露出するとともに、前記シースが外皮から露出するワイヤハーネス本体と、
前記外皮の端末から所要距離離れた位置で前記外皮の外周を締め付けて前記シース内の隙間を閉塞する締付部と、
前記シース内の端末から前記締付部までの前記シース内の隙間に充填され前記コア線と前記ドレン線とを前記シースに対して止水するシリコンと、
前記シースの露出部を隠蔽するシース保護部と、を備えたことを特徴とするワイヤハーネス。
【請求項２】
前記締付部は、第１の粘着テープにより前記外皮の外周面を巻き締めてなる第１の粘着テープ巻付部であることを特徴とする請求項１に記載のワイヤハーネス。
【請求項３】
前記シース保護部は、第２の粘着テープにより、前記シースの端末から、前記外皮の端末または前記締付部までを巻いてなる第２の粘着テープ巻付部であることを特徴とする請求項１に記載のワイヤハーネス。
【発明の詳細な説明】
【技術分野】
【０００１】
本発明は、ワイヤハーネスに関する。
【背景技術】
【０００２】
従来、被覆電線の導線露出部の被覆・止水には、内面層がホットメルト接着剤で形成された止水用熱収縮性チューブが用いられている（特許文献１参照）。
【０００３】
この種の止水用熱収縮性チューブについては、特許文献１の段落［０００３］において、従来技術としての説明がある。すなわち、内面にホットメルト接着剤が塗布された直管状の熱収縮性チューブを電線のスプライス部に被せて加熱させることにより、熱収縮性チューブが縮径するとともに、ホットメルト接着剤が溶けて隙間へ流動してから固化し、導体部分を絶縁状態とするとともに、防水性を実現することが開示されている。
【先行技術文献】
【特許文献】
【０００４】
【特許文献１】特開２０１４−１２０２９２号公報
【発明の概要】
【発明が解決しようとする課題】
【０００５】
しかしながら、特許文献１に開示された技術では、熱収縮性チューブが、加熱前は可撓性があり、加熱され縮径すると直線状に極めて硬くなるので、例えば、図５に示すような、車室外に設けられる電線群（枝線）３２の各電線に圧着した端子と、コネクタＣとの接続が行われる配索条件で、止水が必要な折れ曲がり箇所に適用することが難しくなる。
【０００６】
詳述すると、図５に示すワイヤハーネス３０は、車体フレームに沿って設けられた幹線３１を車体フレームより設けられた３本のガイド棒ｇの間に通すとともに、幹線３１から分岐する枝線を、一定長さだけ幹線３１に沿わせてから、一本のガイド棒ｇに沿って幹線３１から離れる方向に取り出し、幹線３１から例えば１５０ｍｍ離れたところで、枝線を構成している電線群３２に圧着した端子と、コネクタＣとが接続するように配索される。この場合、熱収縮性チューブ３３の長さ中央部が一本のガイド棒ｇに接触し、幹線３１に対して４５度の傾きの直線状となる。
【０００７】
このため、ワイヤハーネス３０は、枝線分岐部側の端部が幹線３１から離れるとともに、枝線分岐部と反対側の端部がガイド棒ｇのところで幹線３１から直角に引いた線（図示しない）に対して大きく離れることになるから、シールド電線である電線群３２の各電線に圧着した端子と、ガイド棒ｇのところで幹線３１から直角に離れる方向に設置されるコネクタＣとの差し込み接続が難しくなる。
【０００８】
また、枝線を構成している電線群３２がシールド電線である場合には、皮剥ぎしてドレン線に防水チューブを被せ、熱収縮性チューブ３３内の長さ中央部に防水チューブの端部を位置させて、熱収縮性チューブ３３を加熱収縮させる。この場合、熱収縮性チューブ３３の内面のホットメルト層が溶融され、溶融したホットメルトが防水チューブの端部の周囲にも流動するが、ドレン線に対して止水を行う量としては少なすぎるという問題がある。
【０００９】
さらに、特許文献１に開示された技術では、熱収縮性チューブを使うので、熱収縮性チューブを熱収縮させる高温作業が必要であり、熱収縮性チューブの部品管理が必要であるという問題もあった。
【００１０】
本発明は、上述のような課題を解決するためになされたもので、コネクタに接続されるワイヤハーネスの端末について、部品番号等の管理・高温作業を必要とせずに、安全、確実に短い距離を止水でき、配索の自由度を向上させることができるワイヤハーネスを提供することを目的とする。
【課題を解決するための手段】
【００１１】
本発明に係るワイヤハーネスは、上記目的達成のため、端末において、コア線とドレン線とがシースから露出するとともに、前記シースが外皮から露出するワイヤハーネス本体と、前記外皮の端末から所要距離離れた位置で前記外皮の外周を締め付けて前記シース内の隙間を閉塞する締付部と、前記シース内の端末から前記締付部までの前記シース内の隙間に充填され前記コア線と前記ドレン線と前記シースに対して止水するシリコンと、前記シースの露出部を隠蔽するシース保護部と、を備えた構成である。
【００１２】
この構成により、本発明に係るワイヤハーネスによれば、締付部によってシース内の隙間が閉塞され、シリコンがシース内の端末から締付部までのシース内の隙間に充填されてコア線とドレン線とをシースに対して止水し、シース保護部によってシースの露出部が隠蔽される。これにより、コネクタに接続されるワイヤハーネスの端末について、部品番号等の管理・高温作業を必要とせずに、安全、確実に短い距離を止水でき、配索の自由度を向上させることができる。
【００１３】
前記締付部は、第１の粘着テープにより前記外皮の外周面を巻き締めてなる第１の粘着テープ巻付部である構成とするのがよい。この構成により、第１の粘着テープ巻付部によって外皮の外周面が巻き締めされるために、簡単な作業で確実な止水を実現することができる。
【００１４】
前記シース保護部は、第２の粘着テープにより、前記シースの端末から、前記外皮の端末または前記締付部までを巻いてなる第２の粘着テープ巻付部である構成とするのがよい。この構成により、第２の粘着テープ巻付部によって、シースの端末から、外皮の端末または締付部までが巻き締めされるために、簡単な作業で確実な止水を実現することができる。
【発明の効果】
【００１５】
本発明によれば、コネクタに接続されるワイヤハーネスの端末について、部品番号等の管理・高温作業を必要とせずに、安全、確実に短い距離を止水でき、配索の自由度を向上させることができるワイヤハーネスを提供することができる。
【図面の簡単な説明】
【００１６】
【図１】本発明の実施の形態に係るワイヤハーネスの使用状態を説明する平面図である。
【図２】本発明の実施の形態に係るワイヤハーネスにおける第２の粘着テープ巻付部の形成後の平面図である。
【図３】本発明の実施の形態に係るワイヤハーネスにおけるシリコンの注入時の平面図である。
【図４】本発明の実施の形態に係るワイヤハーネスにおける第１の粘着テープ巻付部の形成後の平面図である。
【図５】従来のワイヤハーネスの一例を説明する平面図である。
【発明を実施するための形態】
【００１７】
以下、本発明の実施の形態について、図面を参照して説明する。
図１〜図４は、本発明に係るワイヤハーネスの一実施の形態を示す図である。
【００１８】
本発明のワイヤハーネスは、図１に示すように、幹線１と、幹線１から分岐するシールド電線である枝線１１とを含んでいる。以下では、説明の便宜上、枝線１１をワイヤハーネス本体と称し、またワイヤハーネス本体１１を含みかつワイヤハーネス本体１１の端末部を止水処理接続処理したものをワイヤハーネス１０と称するものとする。
【００１９】
すなわち、ワイヤハーネス１０は、ワイヤハーネス本体１１と、ワイヤハーネス本体１１の端末部に設けられた第１の粘着テープ巻付部１２と、第２の粘着テープ巻付部１３と、第２の粘着テープ巻付部１３に対応する内部の隙間に充填・固化されたシリコン２１とを有する。第１の粘着テープ巻付部１２の巻付部は、本発明の締付部を構成し、第２の粘着テープ巻付部１３の巻付部は本発明のシース保護部を構成している。
【００２０】
以下では、ワイヤハーネス１０の製造方法の説明を通して、ワイヤハーネス１０の構成を詳述する。
【００２１】
図２に示すように、ワイヤハーネス本体１１は、接続端子の取り付けと止水処理と折り曲げが可能な端末部とするための処理として、ＰＶＣ等の絶縁性可撓性樹脂製の外皮１７を所要長さ皮剥ぎし、次いで、導電性網筒線であるシース１６を所要長さ切除することにより、複数本のコア線１４と１本のドレン線１５とがシース１６から露出する。すなわち、ワイヤハーネス本体１１は、コア線１４とドレン線１５の所要寸法がシース１６から露出するとともに、シース１６の所要寸法が外皮１７から露出する。
なお、コア線１４は、データ線またはデータ線と給電線として用いる被覆電線であり、ドレン線１５は、非被覆電線であって、シース１６と電気的に接続している。
【００２２】
シース１６から露出したコア線１４とドレン線１５との端部には、接続端子２０が電気的に接続される。
【００２３】
ワイヤハーネス本体１１は、外皮１７の端末ないし所要距離離れた位置に外皮１７が縮径するように第１の粘着テープ巻付部１２で強く巻き締めされることにより、該締付部に対応する内部の隙間、すなわち、シース１６内のドレン線１５とシース１６との隙間が閉塞される。
【００２４】
図３に示すように、第１の粘着テープ巻付部１２で巻き締められたワイヤハーネス本体１１は、シリコン充填器５０の注入先端部がシース１６の端末内に差し込まれ、シリコン２１が第１の粘着テープ巻付部１２に対応する外皮１７内の閉塞端からシース１６の端末まで充填され固化される。
【００２５】
なお、構成として限定されるものではないが、特に、シリコン２１の充填が終了し固化するまでは、第２の粘着テープ巻付部１３をシース１６に形成しないことが好ましい。これにより、シリコン２１の充填の状況が見えて完全な充填が行い易く、かつ、シリコン２１がシース１６を通して外気に触れて固化する時間が短くなる。
【００２６】
シリコン２１としては、例えば、ケイ素化合物を主成分とする合成樹脂であって、高分子シリコンを主成分とするシリコン樹脂を用いる。
【００２７】
ワイヤハーネス本体１１は、シリコン２１をシース１６内に充填・固化することにより、シース１６の露出部内のコア線１４とドレン線１５とをシース１６に対して止水することができる。
【００２８】
図４に示すように、シリコン２１をシース１６内に充填・固化されたワイヤハーネス本体１１は、シース１６を隠蔽し保護するように第２の粘着テープを巻き付けて第２の粘着テープ巻付部１３を形成する。第２の粘着テープの巻き付けは、シース１６の端部から開始し第１の粘着テープ巻付部１２に十分に掛かるまでハーフラップ巻きするように巻き付ける。これにより、ワイヤハーネス１０は、第２の粘着テープ巻付部１３でシース１６を隠蔽し保護された構成である。
【００２９】
上記構成のワイヤハーネス１０によれば、第２の粘着テープ１３で保護される部分が、従来の熱収縮チューブを使用するものと比べて、大幅に短くなり、しかも折り曲げが可能な可撓性を有する。
【００３０】
図１に戻って説明すると、幹線１の分岐部３から分岐する枝線であるワイヤハーネス本体１１は、外皮１７の端部を第１の粘着テープ巻付部１２により巻き締めされ、シース１６の内側にシリコン２１を充填・固化されてから、シース１６の外側を第２の粘着テープ巻付部１３で保護されており、図板上で、４本のガイド棒４のうちの一方側の２本の間に通される。ここで、ガイド棒４からコネクタ１８までが、例えば１００ｍｍの長さ寸法を有する場合、幹線１の分岐部３から分岐するワイヤハーネス本体１１を包み込んでいる第２の粘着テープ巻付部１３に対応する部分が可撓性を有するために、後述する接続端子２０をコネクタ１８に挿入接続しやすいものとなる。
【００３１】
本実施の形態に係るワイヤハーネス１０は、第１の粘着テープ巻付部１２によってシース１６内の隙間が閉塞され、シリコン２１がシース１６内の端末から第１の粘着テープ巻付部１２までのシース１６内の隙間に充填されてコア線１４とドレン線１５とをシース１６に対して止水し、第２の粘着テープ巻付部１３によってシース１６の露出部分が隠蔽される。これにより、コネクタ１８に接続されるワイヤハーネス１０の端末について、部品番号等の管理・高温作業を必要とせずに、安全、確実に短い距離を止水でき、配索の自由度を向上させることができる。
【００３２】
また、本実施の形態に係るワイヤハーネス１０は、第１の粘着テープ巻付部１２によって外皮１７の外周面が巻き締めされ、シリコン２１がシース１６内充填され、第２の粘着テープ巻付部１３によってシース１６の露出部分が隠蔽される構成であるので、簡単な作業で確実な止水を実現することができる。
【００３３】
以上説明したように、本発明によれば、コネクタ１８に接続されるワイヤハーネス１０の端末について、部品番号等の管理・高温作業を必要とせずに、安全、確実に短い距離を止水でき、配索の自由度を向上させることができる。
本発明は、上記の実施の形態の構成に限定されるものでなく、以下のように構成してもよい。
【００３４】
上記の実施の形態では、本発明の締付部として、第１の粘着テープ巻付部１２で外皮を巻き締める構成としたが、金属製の帯板で外皮を巻き締める構成としてもよい。
【００３５】
本発明によれば、コネクタに接続されるワイヤハーネスの端末について、部品番号等の管理・高温作業を必要とせずに、安全、確実に短い距離を止水でき、配索の自由度を向上させることができるという効果を有し、ワイヤハーネスの全般に有用である。
【符号の説明】
【００３６】
１０  ワイヤハーネス
１１  ワイヤハーネス本体
１２  第１の粘着テープ巻付部（締付部）
１３  第２の粘着テープ巻付部（シース保護部）
１４  コア線
１５  ドレン線
１６  シース
１７  外皮
２１  シリコン
【図１】
2016181391.tif 000003
【図２】
2016181391.tif 000004
【図３】
2016181391.tif 000005
【図４】
2016181391.tif 000006
【図５】
2016181391.tif 000007